(57)【特許請求の範囲】
【請求項１】
上下端面が開口し一側に窓部を有する脚枠体内に印鑑を着脱自在に保持する印鑑保持筒を上下動自在に収納し、前記脚枠体の一側に前記窓部において出没する朱肉を内蔵した回転蓋を回転自在に枢着し、前記印鑑保持筒の上部に前記脚枠体の上部外周を覆うホルダーを冠着し、前記印鑑保持筒を常時上方に付勢した状態として、前記印鑑保持筒が最上部に位置する時には前記回転蓋が印鑑の印面を閉塞し、前記印鑑保持筒が前記脚枠体内を下降するとそれに連動して前記回転蓋が回転して印鑑の印面を開放する印鑑ケースにおいて、前記印鑑保持筒の上端面と前記ホルダーの上端面に互いに連通する孔を設け、前記孔の周縁に前記ホルダーの上端面より上方に突出し外周に雄ねじを有する中空状のねじ筒を設け、前記ねじ筒に前記雄ねじと螺合する雌ねじを有する調整部材を回転可能かつ上下動可能に螺着してあり、前記調整部材は前記ねじ筒内を貫通し下端が前記印鑑保持筒内の印鑑の上端に当接する軸部を備えており、前記軸部下端には前記雄ねじと前記雌ねじが螺合した状態で前記調整部材の上昇を規制する係合爪を設けてあることを特徴とする印鑑ケース。
【請求項２】
前記軸部を下端が開口した中空状とし、該軸部の下端から上方にかけて該軸部に径方向の弾力性を持たせるスリットを設けてあることを特徴とする請求項１に記載の印鑑ケース。
【発明の詳細な説明】
【０００１】
【発明の属する技術分野】
本発明は、未使用時には朱肉を内蔵した回転蓋が印鑑の印面を閉塞して印面に朱肉が接触し、使用時には捺印動作と連動して回転蓋が回転して印面を開放し捺印することができる印鑑ケースに関する。
【０００２】
【従来の技術】
従来より、三文判等の市販の印鑑を内部に保持し、未使用時には朱肉を内蔵した回転蓋が印鑑の印面を閉塞して印面に朱肉が接触し、使用時には捺印動作と連動して回転蓋が回転して印面を開放する印鑑ケースは知られており、例えば、実開平５−４１８４４号、実開平５−９１８５８号、実開平６−１２０５６号等に開示されている。この種の印鑑ケースに印鑑を取り付けるには、回転蓋を回転させて印鑑保持筒の下端開口を開放した状態にしておき、その下端開口から印鑑を挿入して印鑑保持筒に印鑑を保持させることにより行うもので、このようにして取り付けた印鑑の印面は印鑑保持筒の下端開口より突出した状態となり、その印面が回転蓋に設けられた朱肉に接触するものである。
【０００３】
そして、前記した従来の印鑑ケースには、印鑑保持筒の下端開口より突出する印面の突出量を調整して、印面と朱肉の接触状態を適正な状態に調整するための印面位置調整機構を備えている。これは、市販の印鑑には様々な種類のものがあり、それら印鑑の長さは全て同一であるということはなく印鑑によってバラツキがある。そして、印鑑ケースに取り付ける印鑑が長過ぎると、印面が朱肉を過度に押圧した状態となって印面に朱肉が必要以上に付着して印鑑ケース内や印鑑が朱肉により汚れたり印影にベタツキが生じることがあり、逆に印鑑ケースに取り付ける印鑑が短過ぎると、印面が朱肉に十分に接触せず朱肉の付着量が不足して印影が不鮮明になることがある。このような不具合を解消するために、前記印面位置調整機構は設けられるものである。
【０００４】
そして、前記した印面位置調整機構は、一般に、外周に雄ねじが形成された軸を有する調整部材と、印鑑保持筒の上端に設けられ内周に雌ねじが形成された孔とから構成され、調整部材の軸を前記孔に螺着して印鑑保持筒内に突出させて、その軸の下端を印鑑の上端に当接させるものであり、調整部材を回転させると、軸の雄ねじと孔の雌ねじの螺合により調整部材が上下動して軸が印鑑保持筒内で上下動するので、これにより印鑑保持筒の下端開口における印面の突出量を調整することができる。
【０００５】
【発明が解決しようとする課題】
ところが、前記した従来の印鑑ケースでは、印鑑保持筒内に突出している軸を外から確認することはできず、調整部材の組付けも単に軸を印鑑保持筒の孔に螺着するだけで、軸の上昇を規制する構造も有していない。このため、使用者が軸を上昇させる方向に調整部材を回転させた際に、使用者の意に反して軸と孔の螺着が解かれて調整部材が外れてしまうという欠点があり、このように調整部材が外れた場合には、使用者は調整部材を組付け直さなければならないという欠点があった。
【０００６】
又、前記した従来の印鑑ケースでは、調整部材の組付け時において、その組付けが確実にされたかを組付け作業者が瞬時に確認することはできないので、組付け作業者は調整部材の組付けに際して、調整部材の軸と印鑑保持筒の孔の螺着が容易に解かれないよう調整部材を何回も回転させて軸を孔に確実に螺着する必要があり、この作業は組付け作業者にとって作業性の悪いものとなっていた。
【０００７】
そこで、本発明は調整部材の上昇を規制するようにして、一度組付けた調整部材が使用者の意に反して外れてしまうことのないようにし、更に、調整部材の組付け時にその組付けが確実にされたかを組付け作業者が簡単に確認することができる印鑑ケースを提供することを目的とする。
【０００８】
【課題を解決するための手段】
本発明は前記した課題を解決するために、上下端面が開口し一側に窓部を有する脚枠体内に印鑑を着脱自在に保持する印鑑保持筒を上下動自在に収納し、前記脚枠体の一側に前記窓部において出没する朱肉を内蔵した回転蓋を回転自在に枢着し、前記印鑑保持筒の上部に前記脚枠体の上部外周を覆うホルダーを冠着し、前記印鑑保持筒を常時上方に付勢した状態として、前記印鑑保持筒が最上部に位置する時には前記回転蓋が印鑑の印面を閉塞し、前記印鑑保持筒が前記脚枠体内を下降するとそれに連動して前記回転蓋が回転して印鑑の印面を開放する印鑑ケースにおいて、前記印鑑保持筒の上端面と前記ホルダーの上端面に互いに連通する孔を設け、前記孔の周縁に前記ホルダーの上端面より上方に突出し外周に雄ねじを有する中空状のねじ筒を設け、前記ねじ筒に前記雄ねじと螺合する雌ねじを有する調整部材を回転可能かつ上下動可能に螺着してあり、前記調整部材は前記ねじ筒内を貫通し下端が前記印鑑保持筒内の印鑑の上端に当接する軸部を備えており、前記軸部下端には前記雄ねじと前記雌ねじが螺合した状態で前記調整部材の上昇を規制する係合爪を設けてあることを特徴とする印鑑ケースである。
【０００９】
又、前記軸部を下端が開口した中空状とし、該軸部の下端から上方にかけて該軸部に径方向の弾力性を持たせるスリットを設けてあることを特徴とする印鑑ケースである。
【００１０】
【発明の実施の形態】
以下、本発明の実施の形態を図面を基に説明する。図１〜図９は本発明の第一の実施形態を示すものであり、１は上下端面が開口したプラスチック製の中空状の脚枠体で、下部一側面には窓部２を設けてあり、この窓部２の上縁には後述する回転蓋１１を枢着するための小孔を有する一対の支持部３を設けてあり、窓部２を有する側面と連続する対向二側面には窓部２と連通する一対の切欠部４を設けてある。この切欠部４は前記支持部３の小孔を中心とした円周上を切欠いた半円状となっている。
【００１１】
５は下端が開口したプラスチック製の中空状の印鑑保持筒で、下部側面の対向位置には縦方向に延びる一対の縦溝６を設けてあり、上部側面の対向位置には印鑑保持筒５の内外を連通させる一対の開口部７を設けてあり、この一対の開口部７の間に位置する側面の対向位置には一対の係止爪８を設けてあり、上端面には孔９を設けてある。この印鑑保持筒５は、開口部７側を脚枠体１の下端開口より挿入して縦溝６と切欠部４を対向させて脚枠体１の内部に上下動自在に収納するものである。又、この印鑑保持筒５の内部には三文判等の朱肉を必要とする市販の印鑑を着脱自在に保持するための筒状のカツラバネ１０を嵌挿してある。このカツラバネ１０は上下２ヵ所を内側に突出させた波状をしており、下端には側面の一部を外側に折り曲げて爪部１０aを形成してあり、この爪部１０aを印鑑保持筒５内の溝部５aに嵌入することにより印鑑保持筒５内に固定されるものである。
【００１２】
１１はプラスチック製の回転蓋で、図３に示すように側板部１２の一側には朱肉を含浸させた朱肉パッド１３が配設される朱肉皿１４を設けてあり、側板部１２の上縁中央には小孔を有する軸受け部１５を設けてあり、側板部１２の上部両端には内方に突出する突子１６を内面に有する一対のガイド片１７を設けてある。この回転蓋１１の組付けは、脚枠体１の切欠部４と脚枠体１内に収納された印鑑保持筒５の縦溝６を同位置としてガイド片１７の突子１６を切欠部４と縦溝６内に位置させて、その状態で軸受け部１５を脚枠体１の一対の支持部３の間に配置して支持部３の小孔と軸受け部１５の小孔を連通させて、その小孔に軸１８を嵌挿することにより脚枠体１に回転自在に枢着するものである。
【００１３】
このように回転蓋１１を脚枠体１に枢着した状態では、ガイド片１７の突子１６の周面は切欠部４の切欠面に常時当接し、かつ、突子１６は脚枠体１内に収納された印鑑保持筒５の縦溝６内に常時位置するものとなる。そして、図７に示すように突子１６が縦溝６の下端に当接し、かつ、回転蓋１１の側板部１２が窓部２を閉塞している時、印鑑保持筒５は下端が脚枠体１の下端開口よりも上方に位置し脚枠体１内おいて上方に抜け止めされて最上部に位置することとなり、この時、朱肉皿１４は印鑑保持筒５の下端開口を閉塞し、回転蓋１１は窓部２において脚枠体１内に没入して完全に閉じた状態となる。尚、回転蓋１１が完全に閉じた状態にある時、図７に示すようにガイド片１７の突子１６は切欠部４の上部に位置する。
【００１４】
１９は下端が開口し下部一側を切欠いたプラスチック製の中空状のホルダーで、上部側面の対向位置には印鑑保持筒５の開口部７に対応する一対の開口部２０を設けてあり、この一対の開口部２０の間に位置する側面の対向位置には印鑑保持筒５の係止爪８に対応する一対の係止孔２１を設けてある。このホルダー１９の組付けは、印鑑保持筒５を内部に収納した脚枠体１の上端面に弾発部材２２を配設した状態で、脚枠体１の上端開口より突出した印鑑保持筒５の係止爪８を係止孔２１に係止させることにより印鑑保持筒５に冠着するもので、これにより、ホルダー１９は脚枠体１の上部外周を覆った状態で印鑑保持筒５と連結されて一体化されるものである。尚、本実施の形態では弾発部材２２としてコイルスプリングを使用している。
【００１５】
そして、ホルダー１９を印鑑保持筒５に冠着した時、図２に示すように弾発部材２２の一端は脚枠体１の上端面に当接し他端はホルダー１９内の環状段部２３に当接して、印鑑保持筒５はホルダー１９と共に常時上方に付勢された状態となり、これにより、印鑑保持筒５は常時脚枠体１内の最上部に位置した状態となり、回転蓋１１は常時閉塞状態となる。
【００１６】
ホルダー１９の上端面中央には孔２４を設けてあり、ホルダー１９の上端面であって孔２４の周縁には上端が開口し外周面に雄ねじ２６が形成してある中空状のねじ筒２５を突設してある。このねじ筒２５の内径は孔２４の内径よりも小さくしてあり、これにより、ねじ筒２５の内周面と孔２４の接続部分には段部２７が形成されている。
【００１７】
そして、ねじ筒２５にはプラスチック製の調整部材２８を回転可能かつ上下動可能に螺着してある。この調整部材２８は、前記ねじ筒２５の外周を覆う周壁２９の内面に前記雄ねじ２６と螺合する雌ねじ３０を形成し、中心には前記ねじ筒２５内を貫通して下端が孔９、２４を介して印鑑保持筒５内に突出する円形の軸部３１を設けてなるもので、軸部３１の中心には該調整部材２８の上端から下端を貫通する貫通孔３２を設けてあり、この貫通孔３２により軸部３１は中空状となっている。又、図４及び図５に示すように軸部３１の下端から上方にかけては２本のスリット３３を対向して設けて軸部３１に径方向の弾力性を持たせてあり、軸部３１の下部外周面には該軸部３１の下端に向かって内側に傾斜した係合爪３４を設けてある。この係合爪３４の上部外径はねじ筒２５の内径よりも大きく、かつ、孔２４の内径よりも小さいものとしている。
【００１８】
この調整部材２８の組付けは、軸部３１をねじ筒２５内部に上方より挿入する。ここで、軸部３１の係合爪３４は傾斜しているので、軸部３１の挿入はその傾斜部分に案内され、又、軸部３１はスリット３３により径方向に弾力性を有しているので、軸部３１は内側に撓んだ状態でねじ筒２５内にスムーズに入っていく。
【００１９】
そして、軸部３１がねじ筒２５内に入った状態で調整部材２８を下方に押すと、周壁２９の雌ねじ３０とねじ筒２５の雄ねじ２６が接触して調整部材２８の下降は止まるので、この状態になったら、調整部材２８を回転させて周壁２９の雌ねじ３０とねじ筒２５の雄ねじ２６を螺合させる。すると、調整部材２８は雌ねじ３０と雄ねじ２６の螺合によりねじ筒２５に対して回転しながら下降し、軸部３１は内側に撓んだ状態でねじ筒２５内を回転しながら下降する。この時、軸部３１は内側に撓んだ状態となっているので、軸筒３１はスムーズにねじ筒２５内を回転しながら下降し、これにより、組付け作業者は調整部材２８の回転操作をスムーズに行うことができる。
【００２０】
そして、軸部３１の係合爪３４がねじ筒２５内を貫通して孔２４に到達すると、内側に撓んでいた軸部３１が元の状態に復元して係合爪３４が段部２７に係合し、これにより調整部材２８の組付けが完了する。この時、調整部材２８は雄ねじ２６と雌ねじ３０が螺合した状態で上方に抜け止めされた状態となる。ここで、調整部材２８の組付け完了時において、内側に撓んでいた軸部３１が復元する際、調整部材２８を回転させている組付け作業者の手には軸部３１の復元による僅かな振動が伝わり、又、軸部３１の復元により“パチン”という音を発するので、組付け作業者は調整部材が確実に組付けられたことを簡単に確認することができる。以上のようにしてねじ筒２５に螺着した調整部材２８を回転させることにより、調整部材２８は雄ねじ２６と雌ねじ３０の螺合によりねじ筒２５に対して上下動する。
【００２１】
３５はプラスチック製の下端が開口した中空状のホルダーキャップであり、内側面対向位置には一対の突起３６を設けてあり、この突起３６と、ホルダー１９の上部側面の対向位置に設けられた一対の突起３７を乗り越え嵌合させることにより、ホルダーキャップ３５はホルダー１９の上部に着脱自在に冠着するものである。このホルダーキャップ３５は印鑑保持筒５の上部に設けられた一対の開口部７やホルダー１９の上部に設けられた一対の開口部２０や調整部材２８等を覆い隠すものである。
【００２２】
次に、以上のように構成された本実施の形態による印鑑ケースに印鑑３８を取り付ける方法について説明する。ホルダー１９を弾発部材２２の弾発力に抗して押圧して脚枠体１に対して押し下げると、回転蓋１１は印鑑保持筒５により押圧され、この押圧力により回転蓋１１は図８に示すように朱肉皿１４の上面が印鑑保持筒５の下端角部４０に当接しながら脚枠体１の外側方向に回転し、この回転蓋１１の回転と共に印鑑保持筒５は脚枠体１内を下降する。
【００２３】
そして、印鑑保持筒５の下端開口が脚枠体１の下端開口に位置するまでホルダー１９を押し下げると、回転蓋１１は図９に示すようにその朱肉皿１４が窓部２より脚枠体１の外側に完全に突出した状態となるまで回転し、このように回転蓋１１が完全に開いた状態となった時、印鑑保持筒５の下端開口は開放される。ここで、印鑑保持筒５が脚枠体１内を下降して回転蓋１１が脚枠体１の外側方向に回転する時、図７及び図８及び図９に示すようにガイド片１７の突子１６はその周面が脚枠体１の切欠部４の切欠面に当接しながら切欠部４の下方に移動し、かつ、突子１６は印鑑保持筒５の縦溝６の上方に移動するものであり、印鑑保持筒５の溝部６は回転蓋１１の回転を妨げない大きさに設定されるものである。
【００２４】
そして、図９に示すように印鑑保持筒５の下端開口を開放したら、この状態を保ちながら印鑑保持筒５の下端開口より印鑑３８を挿入して、印鑑３８を印鑑保持筒５に保持させる。この時、印鑑３８の上端が調整部材２８の軸部３１の下端面に当接するまで印鑑３８を挿入する。尚、図２及び図６に示すように印鑑３８の上端が調整部材２８の軸部３１下端に当接した時、印鑑３８の上部は印鑑保持筒５の上部にある開口部７の部分に位置し、印鑑３８の印面３９は印鑑保持筒５の下端開口より下方に突出した状態となる。
【００２５】
そして、印鑑３８の上端が軸部３１の下端面に当接したら、ホルダー１９への押圧を解く。すると、印鑑保持筒５は弾発部材２２の弾発力により脚枠体1内を上昇し、これに伴いガイド片１７の突子１６は縦溝６の下端に接近していく。そして、図８に示すように突子１６が縦溝６の下端に当接した後に印鑑保持筒５が脚枠体1内を更に上昇すると、突子１６と縦溝６下端の当接により回転蓋１１はその朱肉皿１４の上面が印鑑保持筒５の下端角部４０に当接しながら脚枠体１の内側方向に回転する。尚、回転蓋１１が脚枠体１の内側方向に回転する時、ガイド片１７の突子１６はその周面が脚枠体１の切欠部４の切欠面に当接しながら切欠部４の上方に移動する（図８→図７参照）。
【００２６】
そして、印鑑保持筒５が最上部に位置した時、回転蓋１１は図７に示すように完全に閉じた状態となって、回転蓋１１の側板部１２は窓部２を閉塞し、朱肉皿１４は印鑑３８の印面３９を閉塞して印面３９に朱肉パッド１３が接触し、これにより、印鑑３８の未使用時には印面３９に朱肉が常時付着した状態となる。以上の作業により印鑑３８の取り付けが完了する。
【００２７】
ここで、本実施の形態では、図７及び図８及び図９に示すように回転蓋１１が回転する際にその朱肉皿１４上面が当接する印鑑保持筒５ののをＲ形状としてあり、回転蓋１１が回転する際にはガイド片１７の突子１６の周面が切欠部４の切欠面に常時当接しているので、回転蓋１１はがたつくことなくスムースに開閉する。
【００２８】
次に、本実施の形態の印鑑ケースに取り付けた印鑑３８の印面向きを調整する場合には、図６に示すようにホルダーキャップ３５を取り外した後、前記した印鑑取り付け時と同様にホルダー１９を弾発部材２２の弾発力に抗して押圧して押し下げて印鑑保持筒５を脚枠体１内にて下降させ、回転蓋１１を脚枠体１の外側方向に回転させて図９に示すように完全に開いた状態にする。そして、その状態を保持して印面３９を確認しながら、図６に示す印鑑保持筒５の上部にある一対の開口部７及びホルダー１９の上部にある一対の開口部２０において露呈する印鑑３８の上部を指で摘んで周方向に回転させて印面向きを調整する。そして、印面向きの調整が完了したら、前記した印鑑取り付け時と同様にホルダー１９への押圧を解いて、回転蓋１１を図７に示すように完全に閉じた状態にする。このように、本実施の形態では、印鑑保持筒５の開口部７及びホルダー１９の開口部２０において印鑑保持筒５内に保持させた印鑑３８の上部が露呈し、この開口部７、２０より露呈する部分を指で摘むことにより印面向きを調整することができるので、印面向きの調整をする際に印鑑３８を取り外す必要はなく、又、指が汚れることもない。
【００２９】
次に、本実施の形態の印鑑ケースに取り付けた印鑑３８の印面３９と朱肉パッド１３の接触状態を調整して印面３９に付着する朱肉の量を適正にする場合には、図６に示すようにホルダーキャップ３５を取り外して調整部材２８を回転させると雄ねじ２６と雌ねじ３０の螺合により調整部材２８はねじ筒２５に対して上下動し、軸部３１が印鑑保持筒５内で上下動するので、これにより印鑑保持筒５の下端開口における印鑑３８の印面３９の突出量を調整することができる。ここで、軸部３１を上昇させる方向に調整部材２８を回転させた際、係合爪３４と段部２７が係合することにより軸部３１の上昇は規制されるので、調整部材２８は雄ねじ２６と雌ねじ３０が螺合した状態で上昇が規制される。よって、使用者が軸部３１を上昇させる方向に調整部材２８を回転させ過ぎたとしても雄ねじ２６と雌ねじ３０の螺合は解かれることなく、調整部材２８が使用者の意に反してねじ筒２５より外れてしまうことはない。
【００３０】
次に、本実施の形態のケースに取り付けた印鑑３８を捺印する場合には、脚枠体１を捺印位置に置いた状態で、前記した印鑑取り付け時と同様にホルダー１９を弾発部材２２の弾発力に抗して押圧して押し下げ、印鑑保持筒５を脚枠体１内にて下降させて回転蓋１１を脚枠体１の外側方向に回転させて、回転蓋１１を図９に示すように完全に開いた状態とする。すると朱肉が付着した印面３９が脚枠体１の下端開口より露呈して、これにより捺印することができる。そして、捺印が完了したら、前記した印鑑取り付け時と同様にホルダー１９への押圧を解いて、回転蓋１１を図７に示すように完全に閉じた状態にする。
【００３１】
次に、印鑑３８を他の種類の印鑑と交換する場合には、前記した印鑑取り付け時と同様に図９に示すように回転蓋１１を完全に開いた状態として、ホルダーキャップ３５の上端面中央に設けてある小孔４１に千枚通しやボールペンの中芯等の細長物を差し込んで調整部材２８の貫通孔３２を介して印鑑３８の後端を押すことにより印鑑保持筒５の下端開口より印鑑３８を取り外し、その印鑑保持筒５の下端開口より交換する他の印鑑を挿入する。
【００３２】
次に、図１０は本発明の第二の実施形態を示すもので、この第二の実施形態は、印鑑保持筒５の上端面中央にある孔９の周縁にねじ筒２５を突設し、このねじ筒２５をホルダー１９の上端面の孔２４を介してホルダー１９の上端面より上方に突出させて、このねじ筒２５に前記した第一の実施の形態と同様に調整部材２８を螺着してあるもので、この点以外は前記した第一の実施形態と同一構成のものである。そして、第二の実施形態における調整部材２８も前記した第一の実施形態と同様に２本のスリット３３と係合爪３４有する中空状の軸部３１を備えてなるものなので、前記した第一の実施形態と同様に第二の実施形態においても、調整部材２８の組付け時には調整部材２８を回転させている組付け作業者の手に軸部３１の復元により僅かに振動が伝わり、又、軸部３１の復元により“パチン”という音を発するので、組付け作業者は調整部材２８が確実に組付けられたことを簡単に確認することができる。
【００３３】
又、第二の実施形態における印鑑ケースに取り付けた印鑑３８の印面３９と朱肉パッド１３の接触状態を調整して印面３９に付着する朱肉の量を適正にする際、軸部３１を上昇させる方向に調整部材２８を回転させた時には、前記した第一の実施形態と同様に軸部３１の上昇は係合爪３４と孔９の開口縁段部９aの係合により規制されるので、調整部材２８は雄ねじ２６と雌ねじ３０が螺合した状態で上方に抜け止めされる。よって、第二の実施形態においても、使用者が軸部３１を上昇させる方向に調整部材２８を回転させ過ぎたとしても雄ねじ２６と雌ねじ３０の螺合は解かれることなく、調整部材２８がねじ筒２５より外れてしまうことはない。
【００３４】
以上、本発明の実施の形態として第一、第二の実施形態を説明してきたが、本発明は前記した実施の形態に限定されるものではない。前記した実施の形態では調整部材２８の軸部３１にスリット３３を対向して２本設けていたが、このスリット３３の本数は例えば１２０°間隔で３本設けてもよく、軸部３１に径方向の弾力性を持たせることができるのであればその本数は特に限定されるものではない。又、回転蓋１１を開閉させる構成は、前記した実施の形態によるもの以外の公知の構成であっても良い。
【００３５】
【発明の効果】
以上の通り、本発明の印鑑ケースでは、印鑑保持筒の上面とホルダーの上面に互いに連通する孔を設け、前記孔の周縁に前記ホルダーの上端面より上方に突出し外周に雄ねじを有する中空状のねじ筒を設け、前記ねじ筒に前記雄ねじと螺合する雌ねじを有する調整部材を螺着してあり、前記調整部材は前記ねじ筒内を貫通し下端が前記印鑑保持筒内に保持される印鑑の上端に当接する軸部を備えており、前記軸部下端には前記雄ねじと前記雌ねじが螺合した状態で前記調整部材を上方に抜け止め状とする係合爪を設けてあるので、ねじ筒に組付けられた調整部材が使用者の意に反して外れてしまうことはない。
【００３６】
又、調整部材の軸部を下端が開口した中空状とし、前記軸部の下端から上方にかけて該軸部に径方向の弾力性を持たせるスリットを設けたので、調整部材の組付け時には軸部が内側に撓んだ状態となり、組付け完了時には軸部が元の状態に復元するので、調整部材の組付け作業者の手に軸部の復元による僅かな振動が伝わったり、軸部の復元により“パチン”という音を発するので、組付け作業者は調整部材が確実に組付けられたことを簡単に確認することができる。
【図面の簡単な説明】
【図１】本発明の第一の実施形態の分解斜視図。
【図２】本発明の第一の実施形態の断面図。
【図３】本発明の第一の実施形態の回転蓋の断面図。
【図４】本発明の第一の実施形態の調整部材の正面半断面図。
【図５】本発明の第一の実施形態の調整部材の底面図。
【図６】本発明の第一の実施形態のホルダーキャップを外した正面図。
【図７】本発明の第一の実施形態の回転蓋が閉じた状態を示す説明図。
【図８】本発明の第一の実施形態の回転蓋の回転時の状態を示す説明図。
【図９】本発明の第一の実施形態の回転蓋が開いた状態を示す説明図。
【図１０】本発明の第二の実施形態の断面図。
【符号の説明】
１  脚枠体
２  窓部
３  支持部
４  切欠部
５  印鑑保持筒
６  縦溝
７  開口部
８  係止爪
９  孔
１０  カツラバネ
１１  回転蓋
１２  側板部
１３  朱肉パッド
１４  朱肉皿
１５  軸受け部
１６  突子
１７  ガイド片
１８  軸
１９  ホルダー
２０  開口部
２１  係止孔
２２  弾発部材
２３  環状段部
２４  孔
２５  ねじ筒
２６  雄ねじ
２７  段部
２８  調整部材
２９  周壁
３０  雌ねじ
３１  軸部
３２  貫通孔
３３  スリット
３４  係合爪
３５  ホルダーキャップ
３６、３７  突起
３８  印鑑
３９  印面
４０  下端角部
４１  小孔
【図１】
0004716274.tif 000002
【図２】
0004716274.tif 000003
【図３】
0004716274.tif 000004
【図４】
0004716274.tif 000005
【図５】
0004716274.tif 000006
【図６】
0004716274.tif 000007
【図７】
0004716274.tif 000008
【図８】
0004716274.tif 000009
【図９】
0004716274.tif 000010
【図１０】
0004716274.tif 000011